(57)【要約】【課題】広大土地を必要とするにも拘わらず土地価格を極めて安価に抑制することが出来る、換言すれば、低コストで景観を損なうことのない陸地型太陽光発生装置を開発することを解決課題とする。【解決手段】補強壁(40)にて周囲が取り囲まれている廃棄物処理場の太陽光発電装置設置領域(20)上に互いに独立して設置された複数の太陽光発電パネル敷設用の架台(1)と、該架台(1)上に設置された太陽光発電パネル(2)とを具備する太陽光発電装置(A)であって、架台(1)が、太陽光発電パネル敷設用の架台本体(3)と、架台本体(3)から垂設され、架台本体(3)の前記設置領域(20)からの設置高さＨ1、Ｈ2、Ｈ3、Ｈ4を可変とした脚(4)とで構成されていることを特徴とする。【選択図】        図３
2007251001.tif 000002
【特許請求の範囲】
【請求項１】
(a)  補強壁にて周囲が取り囲まれている廃棄物処理場の太陽光発電装置設置領域上に互いに独立して設置された複数の太陽光発電パネル敷設用の架台と、該架台上に設置された太陽光発電パネルとを具備する太陽光発電装置であって、
(b)  架台が、
太陽光発電パネル敷設用の架台本体と、
架台本体から垂設され、架台本体の前記設置領域からの設置高さを可変とした脚とで構成されていることを特徴とする太陽光発電装置。
【請求項２】
請求項１の脚は、
(c)  架台本体から垂設され、架台本体に対する取付位置を変えるための取付位置変更部を有する脚本体と、
(d)  架台本体と脚本体との間に懸架された補強脚とで構成されていることを特徴とする太陽光発電装置。
【発明の詳細な説明】
【技術分野】
【０００１】
本発明は廃棄物処理場の設置領域を利用した太陽光発電装置に関する。
【背景技術】
【０００２】
現在、世界は地球温暖化による海面上昇、化石燃料の大量消費による酸性雨による森林破壊、フロンなどの塩素系ガスによるオゾンホール発生等かつてない環境保全の危機に陥っている。また、人類の営みにより、森林が消失して山野が痩せ、その影響で海の漁場が失われつつある。更に、人の活動から生じる生活ごみは今や処理の限界を超えようとしている。
【０００３】
一方、原子力発電と共に世界のエネルギーの大半を供給する石油資源は急速に枯渇に向かいつつあり、世界的好況により石油価格の高騰が現実化して久しい。そして中国・インドなど人口大国の急速な工業化によりこの傾向が続いていくことが確実視される。
【０００４】
石油資源の大量消費は、前述の地球温暖化や酸性雨による森林破壊その他による環境破壊の元凶となっている。原子力発電についても同様でその使用済み原子力燃料の廃棄が問題となっているだけでなく、原子力発電設備の事故による放射能漏れは広大な地域の壊滅的破壊をもたらす。
【０００５】
このような状況下において、無尽蔵な太陽光をエネルギー源とする太陽光発電装置がクリーンエネルギー供給源として急速に脚光をあびており、欧州では既に原子力エネルギー供給に代えて太陽光発電をエネルギー供給の基幹に据えようとしている。しかしながら、太陽光発電には、太陽光発電パネルを広大な設置領域一面に敷き詰める必要があり、太陽光発電には必要な広大な設置領域が要求される。換言すれば、太陽発電システムについては、その広大な設置領域を用意しなければならず、しかもコスト面からいえば土地価格が極めて安価でなければならないという根本的課題がある。そこで、水面を利用する水上浮体太陽光発電装置に関するものとして特開平１１−３０１５７８号公報に記載の発明が提案されたが、水面利用(特に海面利用)は設置部材の腐食による短い装置寿命、難メンテナンスひいては高コストという問題に突き当たっている。加えて、海岸に大量の太陽光発電設備をくまなく且つ広範囲で設置することは景観を損なうだけなく、海岸汚染の問題も引き起こす。
【０００６】
【特許文献１】特開平１１−３０１５７８号公報
【発明の開示】
【発明が解決しようとする課題】
【０００７】
本発明の解決課題は、水面利用の問題点を克服すると同時に前述のような広大土地を必要とするにも拘わらず土地価格を極めて安価に抑制することが出来る、換言すれば、低コストで景観を損なうことのない陸地型太陽光発生装置を開発することを解決課題とするものである。
【課題を解決するための手段】
【０００８】
請求項１に記載の太陽光発電装置(A)は、
補強壁(40)にて周囲が取り囲まれている廃棄物処理場の太陽光発電装置設置領域(20)上に互いに独立して設置された複数の太陽光発電パネル敷設用の架台(1)と、該架台(1)上に設置された太陽光発電パネル(2)とを具備する太陽光発電装置(A)であって、
架台(1)が、
太陽光発電パネル敷設用の架台本体(3)と、
架台本体(3)から垂設され、架台本体(3)の前記設置領域(20)からの設置高さＨ1、Ｈ2、Ｈ3、Ｈ4を可変とした脚(4)とで構成されていることを特徴とする。
【０００９】
請求項２は、請求項１の太陽光発電装置(A)の脚(4)に関するもので、脚(4)は、
架台本体(3)から垂設され、架台本体(3)に対する取付位置を変えるための取付位置変更部(5)を有する脚本体(6)と、
架台本体(3)と脚本体(6)との間に懸架された補強脚(7)とで構成されていることを特徴とする。
【発明の効果】
【００１０】
この請求項１の発明によれば、本来、利用の用途がなかった、換言すれば土地価格がゼロである廃棄物処理場の設置領域を太陽光発電装置設置場所としたものであり、従来、陸上型太陽光発電の普及を妨げていた設置場所問題を一挙に解消することができたものである。また、請求項２の発明によれば、設置高さを可変とした脚を用いることで、時間が経つにつれて、不等沈下を引き起こす廃棄物処理場に対応して太陽光発電パネル敷設用架台本体の設置方向を変更することができ、発電効率を長年にわたって安定維持することができる。なお、架台本体から垂設された脚本体と架台本体との間に補強脚が懸架されているので、地盤の不等沈下によって、たとえ一つの脚本体に架台が荷重が加わったとしても、脚本体が破損するようなことがない。換言すれば、大幅な不等地盤沈下を引き起こすような廃棄物処理場に於いても、長年にわたって設計された発電効率を維持することができるものである。
【００１１】
更にいえば、本発明は人類及び地球の病みを治癒する一つの手段として廃棄物処理場(ごみ山)の太陽光発電装置を用いた自然活性化サイクル計画で、[1]利用価値の全くない廃棄物処理場(ごみ山)表面を有効活用して太陽光発電装置を設置することにより、ＣＯ2排出のないクリーンなエネルギーを発電させることができる、[2]時間とともに廃棄物処理場(ごみ山)に埋設された廃棄物全体が発酵を伴って有機肥料化され、これを再利用として山に蒔くことにより木々が育ち、山が豊かになり、そして山が豊かになれば山の養分が海に流れ出してプランクトンが繁殖し、海が豊かになり、漁獲高の低下や水質悪化に悩んでいた漁場が旧来に戻って来るという副次的効果もある。そして、この太陽光発電装置で作られた電気エネルギーにより、廃棄物の粉砕チップ化や更なる太陽電池製造も可能となるだけでなく、新たなごみ山に太陽光発電装置を普及させることができる。
【発明を実施するための最良の形態】
【００１２】
以下、この発明の実施の形態につき図面(図１〜６)を参照して説明する。本太陽光発電装置(A)は図１に示すような廃棄物処理場のごみ山(G)上に設けられた平坦面(以下、この部分を設置領域(20)という。)内に設置されるものである。一般的な処理場について説明すれば、図５に示すように、廃棄物処理場の敷地内に大きく深い処理用窪地(50)を建設機械で凹設し、その底面全面にアスファルト遮水層(51)を敷設し、続いて、アスファルト遮水層(51)並びにその内側ノリ面(52)全体に遮水シート(53)を敷設する。そして、処理用窪地(50)の底部に浅く保護土(54)を敷き、保護土(54)内に底部の遮水シートの損傷を検知する埋設電極(55)を埋設する。遮水シート(53)には遮水シート(53)の損傷を検知する面電極(56)が設けられている。更には保護土(54)内の各所を移動して検知できるような移動電極(58)が設けられている。これら電極(55)(56)(58)は外部の計測器(57)に接続され、常時、遮水シート(53)の損傷や廃棄物埋設状態を検知している。
【００１３】
廃棄物処理場の形状は設置場所により画一的ではないが、少なくとも太陽光発電装置(A)を設置する設置平坦面、即ち設置領域(20)が必要となる。本実施例においては廃棄物が処理用窪地(50)内に山状になるまで投棄され、山状の廃棄物の頂上部分がある程度の広さを持って平坦面に形成される。この部分が設置領域(20)となる。
【００１４】
廃棄物処理場はその外周全体を囲むように鉄筋入りの外周保護壁(60)が設置され、盛り土(61)の崩れを防止するようにしている。また、必要に応じて谷側に形成されている外周保護壁(60)の内周側、山側に形成されている外周保護壁(60)の外側には排水溝(62)が凹設され、周囲の山あるいは山状に積み上げられたごみ山(G)に降り注いだ雨水の速やかなる流出を担保している。また、保護壁(60)の上面には保護壁(60)に沿ってフェンスが張られている。
【００１５】
また、太陽光発電装置(A)を設置する設置平坦面、即ち設置領域(20)の周囲にも鉄筋入り内側補強壁(40)が設置されており設置領域(20)の強化、即ち、盛り土(43)の崩れを防止するように図っている。前記鉄筋を(46)で示す。また、内側補強壁(40)の上面には内側補強壁(40)に沿ってフェンス(15)が張られている。山状のごみ山(G)のノリ面(42)及び平坦面である設置領域(20)には前記盛り土(43)がなされるが、このごみ山(G)のノリ面(42)の傾斜角度及び盛り土(43)の厚さは法令に従う。
【００１６】
平坦面である設置領域(20)には本発明の太陽光発電装置(A)が敷設されるので、ある程度の重量が担持できるように設置領域(20)にはノリ面(42)に比べて厚く盛り土(43)され、且つ前述のＵ字排水溝(41)に向かって水勾配がとれるように盛り土(43)がなされ、更にその上にコンクリート(44)が打設されている。コンクリート(44)内には金網(45)が埋設され、且つ前記コンクリート(44)には不等沈下に対応できるように伸縮目地切りがなされている。
【００１７】
太陽光発電パネル敷設用の架台(1)は、架台本体(3)と、架台本体(3)から垂設され、架台本体(3)の設置領域(20)からの設置高Ｈ1、Ｈ2、Ｈ3、Ｈ4さを可変とした脚(4)とで構成されており、架台本体(3)は鋼材を平面状に並設した複数本のパネル支持桟(31)と、パネル支持桟(31)に取り付けられた逆Ｌ型のパネル取付桟(32)と、接続部材(34)を介してその前端が接続されている前横架材(33)と、後部においてパネル支持桟(31)を連結する後部連結材(35)とで構成されている。
【００１８】
脚(4)は、架台本体(3)から垂設され、架台本体(3)に対する取付位置を変えるための取付位置変更部(5)を有する脚本体(6)と、架台本体(3)と脚本体(6)との間に懸架された補強脚(7)とで構成されており、取付位置変更部(5)は、本実施例では脚本体(6)に設けられた複数の取り付け孔(5a)…あるいはパネル支持桟(31)に設けられた貫通孔(36)が相当する。なお、取付孔(5a)或いは貫通孔(36)の取付位置を変更することにより補強脚(7)のパネル支持桟(31)と脚本体(6)との取付間隔が若干変わるが、その場合、前記補強脚(7)の取付孔(5a)あるいは貫通孔(36)の取付部位の取付孔(図示せず)を長孔にすることで対応することになる。なお、隣接する脚本体(6)間には斜めに筋交い(14)が配設され、図２(a)の水平方向の強度向上を図っている。
【００１９】
脚(6)及び横架材(33)は接地部材(8)(9)に固定され、アンカーボルト(13)により設置場所(20)のコンクリート打設面に固定される。この接地部材(8)(9)は図１、２から分かるように設置領域(20)上に所定間隔で一面に固定され、その上に架台(1)が固定される。接地部材(8)(9)と架台(1)とは一対一で設置され、隣接する架台(1)同士は互いに独立するように配置されている。
【００２０】
太陽光発電パネル(2)は表面に多数の太陽電池パネル(2a)が一面に敷き詰められてより、太陽光が最もよく当たる方向に向けて設置される。設置方法は、前述のように脚本体(6)のパネル取付桟(31)への取付高さＨ1〜4を調節して行う。太陽電池パネル(2a)によって発電された電気は太陽光発電装置(A)から張り渡された架空線(図示せず)を介して電源室(図示せず)に送られ、制御室(図示せず)を通って売電あるいは本施設において消費される。
【００２１】
埋設された廃棄物は前述のように長年に渡って徐々に発行し、そのボリュームを次第に減少させていく。従って、ごみ山(G)(即ち、廃棄物塊)は徐々にその形状を変え、設置領域(20)において不等沈下を起こす。その結果、互いに独立している架台(1)はそれぞれその向きを徐々に変え、最初に設置された最も発電効率の高い状態から次第に発電効率の悪い状態に変化していく。そこで、定期的に各太陽光発電パネル設置架台(1)の設置状況をチェックし、発電効率の落ちた架台(1)の姿勢調整を行う。調整は前述のように脚本体(6)の取り付けを変え、高さＨ1〜４を適切に調節することによって行う。
【００２２】
設置状況のチェックは、個々に発電効率を検出する検出センサー(図示せず)を設けておき、発電効率が所定以下となったものについて姿勢調整を行うようにすることもできる。
【産業上の利用可能性】
【００２３】
本発明は産業廃棄物処理施設に太陽光発電システムを設けるものであって、第１に無尽蔵に存在し、しかも環境に何らの負荷を与えないクリーンエネルギーである太陽光発電による電気を生産し、第２に何らの価値を生じない産業廃棄物処理施設を発電施設に変えることができるものであって、その産業的価値には計り知れないものがある。
【図面の簡単な説明】
【００２４】
【図１】本発明装置が設置された産業廃棄物主義施設の平面図
【図２】本発明装置の正面図及びその右側面図
【図３】本発明装置の部分斜視図
【図４】本発明装置が設置される設置領域の断面図
【図５】廃棄物埋設用窪地の断面図
【図６】本発明装置の環境サイクル図
【符号の説明】
【００２５】
(1)  架台
(2)  太陽光発電パネル
(3)  架台本体
(4)  脚
(5)  取付位置変更部
(6)  脚本体
(7)  補強脚
(8)、(9)  接地部材
【図１】
2007251001.tif 000003
【図２】
2007251001.tif 000004
【図３】
2007251001.tif 000005
【図４】
2007251001.tif 000006
【図５】
2007251001.tif 000007
【図６】
2007251001.tif 000008